(57)【要約】【課題】小型化及び低コスト化を図ることが可能な光通信モジュールを提供する。【解決手段】光通信モジュール１Ａは、単一のパッケージ２に面発光型半導体レーザ３と端面発光型半導体レーザ４を備える。面発光型半導体レーザ３は、第１の波長の光を出力し、素子取付台８の第１の素子取付面８ａに実装される。また、端面発光型半導体レーザ４は、第１の波長と異なる第２の波長の光を出力し、第１の素子取付面８ａと直交した第２の素子取付面８ｂに実装される。面発光型半導体レーザ３と端面発光型半導体レーザ４は、光軸が略平行でかつ近接し、面発光型半導体レーザ３から出力された光と端面発光型半導体レーザ４から出力された光の双方が、１枚のレンズ５で１本の光ファイバ６に集光されて入射する。【選択図】        図１
2007103731.tif 000002
【特許請求の範囲】
【請求項１】
波長の異なる光を出力する光通信モジュールにおいて、
第１の波長で光を出力する面発光素子と、
前記第１の波長と異なる第２の波長で光を出力する端面発光素子と、
直交する２つの面を有し、一方の面に前記面発光素子が実装されると共に、他方の面に前記端面発光素子が実装され、前記面発光素子と前記端面発光素子を、前記面発光素子から出力される光の光軸と前記端面発光素子から出力される光の光軸を近接させて沿わせる位置として保持する素子取付台と、
前記面発光素子から出力される光と前記端面発光素子から出力される光を集光して、光ファイバに入射する単一のレンズ部材と
を備えたことを特徴とする光通信モジュール。
【請求項２】
前記光ファイバはマルチモードファイバで、
前記面発光素子と前記端面発光素子は、前記面発光素子から出力される光の光軸と前記端面発光素子から出力される光の光軸の双方が、前記光ファイバのコアを通る位置として、前記素子取付台に保持される
ことを特徴とする請求項１記載の光通信モジュール。
【請求項３】
前記面発光素子から出力される第１の波長の光は短波長の光で、
前記端面発光素子から出力される第２の波長の光は、前記第１の波長と異なる短波長の光である
ことを特徴とする請求項１記載の光通信モジュール。
【請求項４】
前記面発光素子は面発光半導体レーザであり、前記端面発光素子は、ファブリペローレーザ、分布帰還型レーザまたは発光ダイオードの何れかである
ことを特徴とする請求項３記載の光通信モジュール。
【請求項５】
前記端面発光素子は、前記端面発光素子の発光点と前記面発光素子の発光点との距離が近くなる向きで、前記素子取付台に保持される
ことを特徴とする請求項１記載の光通信モジュール。
【請求項６】
前記第１の波長及び前記第２の波長と異なる波長で光を出力する面発光素子または端面発光素子の何れかあるいは双方を、各発光素子から出力される光の光軸が互いに近接して沿った位置として、前記素子取付台に保持した
ことを特徴とする請求項１記載の光通信モジュール。
【請求項７】
波長の異なる光を出力する光通信モジュールと、
前記光通信モジュールで出力された波長の異なる光を受光する光受信モジュールと、
前記光通信モジュールと前記光受信モジュールを接続する１本の光ファイバを備え、
前記光通信モジュールは、
第１の波長で光を出力する面発光素子と、
前記第１の波長と異なる第２の波長で光を出力する端面発光素子と、
直交する２つの面を有し、一方の面に前記面発光素子が実装されると共に、他方の面に前記端面発光素子が実装され、前記面発光素子と前記端面発光素子を、前記面発光素子から出力される光の光軸と前記端面発光素子から出力される光の光軸を近接させて沿わせる位置として保持する素子取付台と、
前記面発光素子から出力される光と前記端面発光素子から出力される光を集光して、光ファイバに入射する単一のレンズ部材とを備えた
ことを特徴とする光通信システム。
【発明の詳細な説明】
【技術分野】
【０００１】
本発明は、波長の異なる光を出力する光通信モジュール及びこの光通信モジュールを備えた光通信システムに関する。詳しくは、直交する２つの面を備えた素子取付台の一方の面に面発光素子を実装し、他方の面に端面発光素子を実装することで、各発光素子から出力される光の光軸を近接させて、複数の発光素子から出力される波長の異なる光を、単純な構成で１本の光ファイバに入射できるようにしたものである。
【背景技術】
【０００２】
近年、伝送距離が数ｍから数百ｍまでの短距離の通信分野で、伝送速度の高ビットレート化が進んでいる。このような短距離の通信分野としては、例えば、オフィスや家庭内において、サーバとクライアント間をインターネットで接続して、コンテンツをダウンロードするような用途や、家庭内のネットワークにおいて、レコーダ等の記録装置とディスプレイ等の表示装置との間、あるいはＰＣ（パーソナルコンピュータ）との間で、高解像度の動画等の大容量データを通信するような用途が挙げられる。
【０００３】
また、例えばクライアントとサーバを接続したような利用形態では、クライアントからサーバへのアップロード方向の伝送速度は高速である必要性は少なく、サーバからクライアントへのダウンロード方向の伝送速度の向上が求められている。
【０００４】
さて、伝送速度がギガビットを超えるような場合、多くは光ファイバを利用した光通信が用いられる。双方向の光通信には、送信と受信で通常２本の光ファイバが必要であるが、多重化を図ることで、１本の光ファイバで双方向の通信が行えるようになり、光ファイバの配線量を半分にすることが可能となる。
【０００５】
多重化の方式として、時分割多重方式の場合、送信と受信で時間を分割するため、伝送速度の制約となってしまう。これに対して、波長多重方式の場合、送信と受信を同時に通信できるため、伝送速度の点で有利である。また、光通信において伝送量を増加させるための手法としても、波長多重方式が利用されている。
【０００６】
波長多重方式を利用した光通信システムとしては、波長の異なる光を出力するために複数の半導体レーザを備えると共に、各半導体レーザから出力された光を１本の光ファイバに合波する合波器を備えたシステムが提案されている（例えば、特許文献１参照）。
【０００７】
また、光通信システムでは、従来より、半導体レーザやレンズ等を備え、光ファイバを着脱できる構成とした光通信モジュールが用いられている。そして、波長多重方式の光通信システムでは、波長の異なる光を出力する複数の半導体レーザと、各半導体レーザから出力された光を１本の光ファイバに合波する合波器を備えると共に、半導体レーザから出力された光を光ファイバに集光するために、各半導体レーザに対応してレンズを備えた光通信モジュールが用いられる。
【０００８】
【特許文献１】特開２０００−２２４１１７号公報
【発明の開示】
【発明が解決しようとする課題】
【０００９】
主にオフィスや家庭内で光通信システムを構築する場合は、モジュールの小型化や低コストが要求される。しかし、波長多重方式で利用される従来の光通信モジュールでは、部品点数が多いので、小型化及び低コスト化が困難であるという問題があった。
【００１０】
本発明は、このような課題を解決するためになされたもので、小型化及び低コスト化を図ることが可能な光通信モジュール及び光通信システムを提供することを目的とする。
【課題を解決するための手段】
【００１１】
上述した課題を解決するため、本発明に係る光通信モジュールは、波長の異なる光を出力する光通信モジュールにおいて、第１の波長で光を出力する面発光素子と、第１の波長と異なる第２の波長で光を出力する端面発光素子と、直交する２つの面を有し、一方の面に面発光素子が実装されると共に、他方の面に端面発光素子が実装され、面発光素子と端面発光素子を、面発光素子から出力される光の光軸と端面発光素子から出力される光の光軸を近接させて沿わせる位置として保持する素子取付台と、面発光素子から出力される光と端面発光素子から出力される光を集光して、光ファイバに入射する単一のレンズ部材とを備えたことを特徴とする。
【００１２】
本発明の光通信モジュールでは、面発光素子は第１の波長で光を出力し、端面発光素子は第１の波長とは異なる第２の波長で光を出力する。面発光素子は、直交する２面を有した素子取付台の一方の面に実装され、端面発光素子は、素子取付台の他方の面に実装されることで、面発光素子から出力される光の光軸と、端面発光素子から出力される光の光軸は、互いに略平行となり、かつ、近接している。
【００１３】
これにより、面発光素子から出力された第１の波長の光と、端面発光素子から出力された第２の波長の光は、いずれも単一のレンズ部材で集光されて、１本の光ファイバに入射する。
【００１４】
また、本発明に係る光通信システムは、上述した光通信モジュールを備えたものである。すなわち、本発明に係る光通信システムは、波長の異なる光を出力する光通信モジュールと、光通信モジュールで出力された波長の異なる光を受光する光受信モジュールと、光通信モジュールと光受信モジュールを接続する１本の光ファイバを備え、光通信モジュールは、第１の波長で光を出力する面発光素子と、第１の波長と異なる第２の波長で光を出力する端面発光素子と、直交する２つの面を有し、一方の面に面発光素子が実装されると共に、他方の面に端面発光素子が実装され、面発光素子と端面発光素子を、面発光素子から出力される光の光軸と端面発光素子から出力される光の光軸を近接させて沿わせる位置として保持する素子取付台と、面発光素子から出力される光と端面発光素子から出力される光を集光して、光ファイバに入射する単一のレンズ部材とを備えたことを特徴とする。
【００１５】
本発明の光通信システムでは、光通信モジュールにおいては、面発光素子は第１の波長で光を出力し、端面発光素子は第１の波長とは異なる第２の波長で光を出力する。面発光素子から出力された第１の波長の光と、端面発光素子から出力された第２の波長の光は、上述したように、単一のレンズ部材で集光されて１本の光ファイバに入射する。
【００１６】
そして、光ファイバに入射した光は、光ファイバを伝送されて、光受信モジュールで受光される。
【発明の効果】
【００１７】
本発明の光通信モジュールによれば、直交する２つの面を備えた素子取付台の一方の面に面発光素子を実装し、他方の面に端面発光素子を実装することで、各発光素子から出力される光の光軸を近接させることができる。
【００１８】
これにより、複数の発光素子から出力される波長の異なる光を、単純な構成で１本の光ファイバに入射でき、部品点数の削減が可能である。従って、光通信モジュールの小型化を図ることが可能であると共に、光通信モジュールの低コスト化が可能である。
【００１９】
そして、このような光通信モジュールを備えることで、波長多重方式の光通信システムを、低コストで構築することができる。
【発明を実施するための最良の形態】
【００２０】
以下、図面を参照して本発明の光通信モジュール及び光通信システムの実施の形態について説明する。
【００２１】
＜本実施の形態の光通信モジュールの構成例＞
図１は本実施の形態の光通信モジュールの一例を示す構成図で、図１（ａ）は本実施の形態の光通信モジュール１Ａの側面図、図１（ｂ）は光通信モジュール１Ａの正面図である。
【００２２】
本実施の形態の光通信モジュール１Ａは、単一のパッケージ２に面発光型半導体レーザ（ＶＣＳＥＬ）３と端面発光型半導体レーザ４を備え、面発光型半導体レーザ３と端面発光型半導体レーザ４から出力される波長の異なる光を、１枚のレンズ５で１本の光ファイバ６に入射できるようにしたものである。
【００２３】
パッケージ２は、例えばＣＡＮパッケージと称される形態のものであり、ステム部７に素子取付台８を備える。ステム部７は円板形状で、中心付近の表面に素子取付台８が突出形成される。ステム部７と素子取付台８は金属製で、例えば溶接等によって一体に構成される。
【００２４】
素子取付台８は直方体形状で、先端に第１の素子取付面８ａが形成されると共に、所定の側面に第２の素子取付面８ｂが形成される。第１の素子取付面８ａは、ステム部７に対して略平行な平面で構成され、第２の素子取付面８ｂは、第１の素子取付面８ａに対して略垂直な平面で構成される。
【００２５】
面発光型半導体レーザ３は面発光素子の一例で、入力された電気信号を光に変換して出力する。面発光型半導体レーザ３は、第１の波長λ１として、例えば８４０〜８６０ｎｍ程度の短波長の光を出力する。
【００２６】
面発光型半導体レーザ３は、素子取付台８の第１の素子取付面８ａに半田あるいは接着等によって実装される。すなわち、面発光型半導体レーザ３は、光を出力する発光点３ａが、ステム部７の中心位置あるいはステム部７の中心に対して近傍の位置で、かつ、第１の素子取付面８ａと第２の素子取付面８ｂが交差する辺部８ｃになるべく近い位置に実装される。
【００２７】
端面発光型半導体レーザ４は端面発光素子の一例で、入力された電気信号を光に変換して出力する。端面発光型半導体レーザ４は、例えばファブリペローレーザ、ＤＦＢ（分布帰還型：Distributed Feedback）レーザ、発光ダイオード（LED:Light Emitting Diode）等であり、第２の波長λ２として、例えば７７０〜７９０ｎｍ程度、あるいは６４０〜６６０ｎｍ程度の短波長の光を出力する。
【００２８】
端面発光型半導体レーザ４は、素子取付台８の第２の素子取付面８ｂに半田あるいは接着等によって実装される。すなわち、端面発光型半導体レーザ４は、光を出力する発光点４ａが、第１の素子取付面８ａに実装された面発光型半導体レーザ３の発光点３ａと略同列上に並ぶ位置で、かつ、発光点４ａが露出するへき開面４ｂが、第１の素子取付面８ａと略同一面となる位置に実装される。
【００２９】
なお、端面発光型半導体レーザ４は、積層方向の両端面に電極が形成されると共に、発光点４ａが形成される活性層の位置が、積層方向の一方の側に偏っている形態となっている場合が多い。このような場合は、発光点４ａまでの距離が近い側の電極を、素子取付台８の第２の素子取付面８ｂに対向させて実装することで、第２の素子取付面８ｂから発光点４ａまでの距離を近づけている。
【００３０】
面発光型半導体レーザ３は、発光点３ａから出力される光Ｓ１の光軸が、第１の素子取付面８ａに対して略垂直となる。また、端面発光型半導体レーザ４は、発光点４ａから出力される光Ｓ２の光軸が、第２の素子取付面８ｂに対しては略平行で、第１の素子取付面８ａに対しては略垂直となる。
【００３１】
これにより、面発光型半導体レーザ３から出力される光Ｓ１の光軸と、端面発光型半導体レーザ４から出力される光Ｓ２の光軸は、互いに略平行で、かつ近接している。
【００３２】
レンズ５はレンズ部材の一例で、本例では１枚の凸レンズで構成され、面発光型半導体レーザ３の発光点３ａ及び端面発光型半導体レーザ４の発光点４ａに対向させて、例えばパッケージ２を構成するキャップ部２ａに取り付けられる。
【００３３】
レンズ５は、面発光型半導体レーザ３から出力された光Ｓ１が入射され、面発光型半導体レーザ３から入射された光Ｓ１を、光ファイバ６に集光させる。また、レンズ５は、端面発光型半導体レーザ４から出力された光Ｓ２が入射され、端面発光型半導体レーザ４から入射された光Ｓ２を、光ファイバ６に集光させる。
【００３４】
ここで、面発光型半導体レーザ３から出力される光Ｓ１の光軸と、端面発光型半導体レーザ４から出力される光Ｓ２の光軸は、上述したように近接している。これにより、レンズ５の中心に近接して、面発光型半導体レーザ３の光軸及び端面発光型半導体レーザ４の光軸の双方が通るようにレンズ５が配置されるが、主に、面発光型半導体レーザ３の光軸が、レンズ５の中心を通るようにすると良い。
【００３５】
光ファイバ６は、シングルモードファイバに比べてコア径が大きいマルチモードファイバで、例えば、コア径が約２００μｍのプラスチッククラッドファイバ（ＰＣＦ）あるいはコア径が約１０００μｍの全プラスチックファイバ（ＡＰＦ）である。
【００３６】
光ファイバ６は、例えば図示しない光コネクタ等によって光通信モジュール１Ａに着脱自在な構成である。ここで、光ファイバ６のコア６ａの中心に近接して、面発光型半導体レーザ３から出力される光Ｓ１及び端面発光型半導体レーザ４から出力される光Ｓ２が集光するように各部品が配置されるが、主に、面発光型半導体レーザ３から出力される光Ｓ１が、光ファイバ６のコア６ａの中心に集光されるようにすると良い。
【００３７】
光通信モジュール１Ａは、ステム部７に本例では４本のリード９ａ〜９ｄが取り付けられている。３本のリード９ａ〜９ｃは、ガラス材等の絶縁層７ａを介してステム部７に支持され、ステム部７とは絶縁されている。
【００３８】
リード９ａ〜９ｃはステム部７を貫通しており、リード９ａは、ボンディングワイヤ１０ａによって面発光型半導体レーザ３の一方の電極と接続され、リード９ｂは、ボンディングワイヤ１０ｂによって面発光型半導体レーザ３の他方の電極と接続されている。
【００３９】
また、リード９ｃは、ボンディングワイヤ１０ｃによって端面発光型半導体レーザ４の一方の電極と接続されている。残りのリード９ｄは、ステム部７と導通しており、素子取付台８を介して端面発光型半導体レーザ４の他方の電極と接続されている。なお、本例の光通信モジュール１Ａでは、面発光型半導体レーザ３と端面発光型半導体レーザ４は独立したリードを備えた構成としたが、リードを共用しても良い。
【００４０】
図２は面発光型半導体レーザ３の発光点３ａと端面発光型半導体レーザ４の発光点４ａの位置関係を示す説明図、図３は面発光型半導体レーザ３及び端面発光型半導体レーザ４から出力される光のスポットと光ファイバ６のコア６ａの直径の関係を示す説明図である。
【００４１】
面発光型半導体レーザ３の大きさは、図２に示すように、縦横共に例えば約３００μｍ程度である。面発光型半導体レーザ３は、上述したように、第１の素子取付面８ａにおいて、第２の素子取付面８ｂが交差する辺部８ｃになるべく近い位置に実装される。これにより、第２の素子取付面８ｂから面発光型半導体レーザ３の発光点３ａまでの距離は、約１５０μｍである。
【００４２】
また、第２の素子取付面８ｂから端面発光型半導体レーザ４の発光点４ａまでの距離は、約１０μｍである。従って、面発光型半導体レーザ３から出力される光Ｓ１の光軸と、端面発光型半導体レーザ４から出力される光Ｓ２の光軸は、約１６０μｍ離れている。
【００４３】
光ファイバ６として、プラスチッククラッドファイバ（ＰＣＦ）を用いた場合、コア６ａの直径が約２００μｍであるので、面発光型半導体レーザ３から出力される光Ｓ１の光軸と、端面発光型半導体レーザ４から出力される光Ｓ２の光軸は、共に光ファイバ６のコア６ａを通る。
【００４４】
これにより、面発光型半導体レーザ３から出力された光Ｓ１をレンズ５で集光することで、光ファイバ６の端面において形成されるスポット光１１ａと、端面発光型半導体レーザ４から出力された光Ｓ２をレンズ５で集光することで、光ファイバ６の端面において形成されるスポット光１１ｂは、図３に示すように、双方が光ファイバ６のコア６ａに入ることになる。
【００４５】
従って、面発光型半導体レーザ３から出力された光Ｓ１と、端面発光型半導体レーザ４から出力された光Ｓ２の双方を、光ファイバ６のコア６ａに入射して、光ファイバ６を伝送させることが可能となる。
【００４６】
ここで、光ファイバ６に光を入射させて伝送するには、スポット光がコア６ａの中心にある必要はなく、コア６ａ内に入っていれば良い。
【００４７】
なお、光ファイバ６として、全プラスチックファイバ（ＡＰＦ）を用いた場合、コア６ａの直径が約１０００μｍであるので、面発光型半導体レーザ３から出力された光Ｓ１と、端面発光型半導体レーザ４から出力された光Ｓ２の双方が、光ファイバ６のコア６ａに入射する。
【００４８】
＜本実施の形態の光通信モジュールの動作例＞
次に、各図を参照して本実施の形態の光通信モジュール１Ａの動作の一例について説明する。
【００４９】
光通信モジュール１Ａでは、入力された電気信号が面発光型半導体レーザ３で光に変換され、面発光型半導体レーザ３から出力された光Ｓ１はレンズ５に入射する。ここで、面発光型半導体レーザ３の発振波長は、第１の波長λ１（例えば、λ１＝８５０ｎｍ）である。
【００５０】
また、光通信モジュール１Ａでは、入力された電気信号が端面発光型半導体レーザ４で光に変換され、端面発光型半導体レーザ４から出力された光Ｓ２はレンズ５に入射する。ここで、端面発光型半導体レーザ４の発振波長は、第１の波長λ１とは異なる第２の波長λ２（例えば、λ２＝７８０ｎｍ）である。
【００５１】
レンズ５は、面発光型半導体レーザ３から出力された光Ｓ１と端面発光型半導体レーザ４から出力された光Ｓ２の双方を集光して、光ファイバ６のコア６ａに入射させる。そして、光ファイバ６は、入射した光Ｓ１，Ｓ２をここでは図示しない対向機器に伝送する。
【００５２】
上述したように、素子取付台８において第１の素子取付面８ａに面発光型半導体レーザ３を実装し、第１の素子取付面８ａに直交した第２の素子取付面８ｂに端面発光型半導体レーザ４を実装することで、面発光型半導体レーザ３から出力された光Ｓ１の光軸と、端面発光型半導体レーザ４から出力された光Ｓ２の光軸は近接しており、共に光ファイバ６のコア６ａを通ることが可能な距離となっている。
【００５３】
これにより、光通信モジュール１Ａでは、面発光型半導体レーザ３と端面発光型半導体レーザ４から出力される波長の異なる光を、１枚のレンズ５で集光して、１本の光ファイバ６に入射できる。
【００５４】
従って、光通信モジュール１Ａでは、部品点数が削減できることで、小型化及び低コスト化を図ることができる。また、光通信モジュール１Ａは、１つの発光素子を有した光通信モジュールを作製するコストと比較して、大幅なコスト増となることなく作製することができるので、製造コストにおいても低コスト化を図ることができる。
【００５５】
そして、近年、発振波長が８５０ｎｍ帯で高変調速度の面発光型半導体レーザが安価に実用化されているので、面発光型半導体レーザ３と端面発光型半導体レーザ４を組み合わせることによって、伝送速度が１０Ｇビット／秒で波長多重方式の光通信モジュールを安価に提供することが可能となる。
【００５６】
ここで、本実施の形態では、２波長の光を出力する光通信モジュールについて説明したが、第１の波長λ１及び第２の波長λ２と異なる波長の光を出力する面発光型半導体レーザを、素子取付台８の第１の素子取付面８ａに、面発光型半導体レーザ３に近接させて実装しても良い。
【００５７】
また、第１の波長λ１及び第２の波長λ２と異なる波長の光を出力する端面発光型半導体レーザを、素子取付台８の第２の素子取付面８ｂに、端面発光型半導体レーザ４に近接させて実装しても良い。
【００５８】
更に、第１の波長λ１及び第２の波長λ２と異なる波長で、かつ互いの波長が異なる光を出力する面発光型半導体レーザと端面発光型半導体レーザの双方を素子取付台８に実装しても良い。
【００５９】
例えば、光ファイバ６として全プラスチックファイバ（ＡＰＦ）を用いた場合、コア６ａの直径が約１０００μｍであるので、３個あるいは３個以上の発光素子から出力された光を、光ファイバ６のコア６ａに入射できるように、各発光素子を実装することが可能である。
【００６０】
よって、３波長以上の光を出力する光通信モジュールにも、本発明を適用することが可能である。
【００６１】
＜本実施の形態の光通信システムの構成例＞
図４は本実施の形態の光通信システムの一例を示す構成図である。本実施の形態の光通信システム２１Ａは、上述した光通信モジュール１Ａと、光受信モジュール２２と、光通信モジュール１Ａと光受信モジュール２２を接続する光ファイバ６を備える。ここで、光通信モジュール１Ａは、図１等で説明した構成と同じであるので、ここでは説明を省略する。
【００６２】
光受信モジュール２２は、複数のフォトダイオード２３ａ，２３ｂと、光分波器２４と、レンズ２５を備える。光受信モジュール２２に接続される光通信モジュール１Ａは、図１に示すように、本例では２波長の光を出力するので、光受信モジュール２２は、２個のフォトダイオード２３ａ，２３ｂを備える。
【００６３】
フォトダイオード２３ａ，２３ｂは受光素子の一例で、入射した光を電気信号に変換して出力する。なお、フォトダイオード２３ａ，２３ｂは、波長依存性が無いので、同一のフォトダイオードを２個備えれば良い。
【００６４】
光分波器２４は、光通信モジュール１Ａから出力された第１の波長λ１の光は例えば透過し、第２の波長λ２の光は反射する構成である。一方のフォトダイオード２３ａは、光分波器２４を透過した光が入射する位置に配置され、他方のフォトダイオード２３ｂは、光分波器２４で反射した光が入射する位置に配置される。
【００６５】
レンズ２５は、光ファイバ６と光分波器２４の間に配置されて、光ファイバ６から出射された光を、フォトダイオード２３ａとフォトダイオード２３ｂに集光する。
【００６６】
光ファイバ６は、例えば図示しない光コネクタ等によって、光受信モジュール２２に着脱自在な構成である。
【００６７】
＜本実施の形態の光通信システムの動作例＞
次に、各図を参照して本実施の形態の光通信システム２１Ａの動作の一例について説明する。
【００６８】
光通信モジュール１Ａでは、上述したように、面発光型半導体レーザ３によって、第１の波長λ１で信号光が出力されると共に、端面発光型半導体レーザ４によって、第２の波長λ２で信号光が出力される。
【００６９】
面発光型半導体レーザ３から出力された信号光と端面発光型半導体レーザ４から出力された信号光は、レンズ５で集光されて光ファイバ６の一方の端面からコア６ａに入射し、コア６ａを伝送される。
【００７０】
光ファイバ６のコア６ａを伝送される信号光は、光ファイバ６の他方の端面から出射する。光ファイバ６から出射した信号光は、レンズ２５で集光されると共に、第１の波長λ１の信号光は、光分波器２４を透過して一方のフォトダイオード２３ａに入射する。また、第２の波長λ２の信号光は、光分波器２４で反射して他方のフォトダイオード２３ｂに入射する。
【００７１】
そして、フォトダイオード２３ａ，２３ｂは、入射した信号光を電気信号に変換して出力する。
【００７２】
以上説明した光通信システム２１Ａでは、上述した光通信モジュール１Ａを備えることで、１本の光ファイバ６を用いて異なる波長の信号光を伝送可能である。そして、光通信モジュール１Ａは、部品点数が削減できることで、小型化及び低コスト化を図ることができるので、波長多重方式の光通信システム２１Ａを、低コストで構築することができる。
【産業上の利用可能性】
【００７３】
本発明は、主にオフィスや家庭内で光通信システムを構築する際に用いられる光通信モジュールに適応される。
【図面の簡単な説明】
【００７４】
【図１】本実施の形態の光通信モジュールの一例を示す構成図である。
【図２】面発光型半導体レーザの発光点と端面発光型半導体レーザの発光点の位置関係を示す説明図である。
【図３】面発光型半導体レーザ及び端面発光型半導体レーザから出力された光のスポットと光ファイバのコアの直径の関係を示す説明図である。
【図４】本実施の形態の光通信システムの一例を示す構成図である。
【符号の説明】
【００７５】
１Ａ・・・光通信モジュール、２・・・パッケージ、２ａ・・・キャップ部、３・・・面発光型半導体レーザ、３ａ・・・発光点、４・・・端面発光型半導体レーザ、４ａ・・・発光点、５・・・レンズ、６・・・光ファイバ、７・・・ステム部、８・・・素子取付台、８ａ・・・第１の素子取付面、８ｂ・・・第２の素子取付面、９ａ〜９ｄ・・・リード、１０ａ〜１０ｃ・・・ボンディングワイヤ、２１Ａ・・・光通信システム、２２・・・光受信モジュール、２３ａ，２３ｂ・・・フォトダイオード、２４・・・光分波器、２５・・・レンズ
【図１】
2007103731.tif 000003
【図２】
2007103731.tif 000004
【図３】
2007103731.tif 000005
【図４】
2007103731.tif 000006